(57)【要約】  従来のネマティック液晶や強誘電性液晶を用いた装置では難しかった、偏光を変えることなく光の位相のみを高速に変化させる機能を有する装置とその方法を提供する。  進相軸を少なくとも２つの方位に切り替え、入射した光の進相軸及び遅相軸の間に第１のリタデーションを与える第１のリタデーション付加部と、進相軸を少なくとも２つの方位に切り替え、第２のリタデーションを与える第２のリタデーション付加部と、第１のリタデーション付加部及び第２のリタデーション付加部の進相軸の方位をそれぞれ制御する進相軸制御部と、を備え、第１のリタデーション付加部と第２のリタデーション付加部は重ねて配置され、進相軸制御部が、第１のリタデーション付加部及び第２のリタデーション付加部の進相軸を所望の方位にそれぞれ制御する第１の制御状態、または、第１のリタデーション付加部及び第２のリタデーション付加部の進相軸を第１の制御状態とは異なる方位に制御する第２の制御状態のどちらかを選択する。
2016208047.tif 000002
【特許請求の範囲】
【請求項１】
光の位相を制御する光位相制御装置において、  複屈折における屈折率が小さい軸を進相軸、前記進相軸と直交し屈折率が大きい軸を遅相軸とした場合において、  前記進相軸を少なくとも２つの方位に切り替え、入射した光の前記進相軸及び前記遅相軸の間に第１のリタデーションを与える第１のリタデーション付加部と、  前記進相軸を少なくとも２つの方位に切り替え、入射した光の前記進相軸及び前記遅相軸の間に第２のリタデーションを与える第２のリタデーション付加部と、  前記第１のリタデーション付加部の前記進相軸の方位と前記第２のリタデーション付加部の前記進相軸の方位をそれぞれ制御する進相軸制御部と、を備え、  前記第１のリタデーション付加部と前記第２のリタデーション付加部は重ねて配置され、  前記進相軸制御部が前記第１のリタデーション付加部の前記進相軸と前記第２のリタデーション付加部の前記進相軸を所望の方位にそれぞれ制御する状態を第１の制御状態とし、  前記進相軸制御部が前記第１のリタデーション付加部の前記進相軸及び前記第２のリタデーション付加部の前記進相軸を前記第１の制御状態とは異なる方位に制御する状態を第２の制御状態とし、  前記進相軸制御部は、前記第１の制御状態または前記第２の制御状態のどちらかを選択することを特徴とする光位相制御装置。
【請求項２】
請求項１に記載の光位相制御装置において、  前記進相軸制御部は光の電場振動方向を変えずに、光の位相を第１の位相または第２の位相にして、出射することを特徴とする光位相制御装置。
【請求項３】
請求項１に記載の光位相制御装置において、  前記進相軸制御部は、前記第１の制御状態とする場合には、前記第１のリタデーション付加部の前記進相軸の方位と前記第２のリタデーション付加部の前記進相軸の方位を略一致させるように制御し、前記第２の制御状態とする場合には、前記第１のリタデーション付加部の前記進相軸の方位と前記第２のリタデーション付加部の前記進相軸の方位が略直交するように制御することを特徴とする光位相制御装置。
【請求項４】
請求項１に記載の光位相制御装置において、  前記第１のリタデーション付加部及び前記第２のリタデーション付加部は強誘電性液晶からなることを特徴とする光位相制御装置。
【請求項５】
請求項１に記載の光位相制御装置において、  前記第１のリタデーションと前記第２のリタデーションは略同一であることを特徴とする光位相制御装置。
【請求項６】
請求項５に記載の光位相制御装置において、  前記略同一のリタデーションは略π／２であることを特徴とする光位相制御装置。
【請求項７】
請求項１に記載の光位相制御装置において、  前記第１のリタデーション付加部及び前記第２のリタデーション付加部の間には所定の空間を有し、前記所定の空間に、光の状態を確認する検出器または検出器保持用の構造を備えることを特徴とする光位相制御装置。
【請求項８】
請求項１に記載の光位相制御装置において、  前記第１のリタデーション付加部及び前記第２のリタデーション付加部の間は所定の空間が無いことを特徴とする光位相制御装置。
【請求項９】
ホログラフィを利用して光情報記録媒体に信号光と参照光との干渉パターンをホログラムとして記録及び再生する光情報記録再生装置において、  レーザ光を出射する光源と、  前記レーザ光を参照光と信号光に分離する光学素子と、  記録時の前記信号光または参照光の位相を制御する光位相制御部と、  前記光情報記録媒体に前記参照光を照射することにより再生された信号光を検出する光検出器と、を備え、  前記光位相制御部は、    複屈折における屈折率が小さい軸を進相軸、前記進相軸と直交し屈折率が大きい軸を遅相軸とした場合において、    前記進相軸を少なくとも２つの方位に切り替え、入射した光の前記進相軸及び前記遅相軸の間に第１のリタデーションを与える第１のリタデーション付加部と、    前記進相軸を少なくとも２つの方位に切り替え、入射した光の前記進相軸及び前記遅相軸の間に所第２のリタデーションを与える第２のリタデーション付加部と、    前記第１のリタデーション付加部の前記進相軸の方位と前記第２のリタデーション付加部の前記進相軸の方位をそれぞれ制御する進相軸制御部と、を備え、  前記光情報記録媒体に第１のホログラムを記録する信号光または参照光の位相を第１の位相とし、第２のホログラムを記録する信号光または参照光の位相を第２の位相とし、  前記光位相制御部は入射光の電場振動方向を変えずに、前記入射光の位相を前記第１の位相または前記第２の位相にして、出射することを特徴とする光情報記録再生装置。
【請求項１０】
請求項９に記載の光情報記録再生装置において、  前記光位相制御部は、前記第１の位相で記録する場合には前記第１のリタデーション付加部の前記進相軸の方位と前記第２のリタデーション付加部の前記進相軸の方位と信号光または参照光の電場振動軸の方位を略一致させるように制御し、前記第２の位相で記録する場合には前記第１のリタデーション付加部の前記進相軸の方位と前記第２のリタデーション付加部の前記進相軸の方位が略直交するように制御することを特徴とする光情報記録再生装置。
【請求項１１】
請求項９に記載の光情報記録再生装置において、  前記光位相制御部は、  前記参照光を照射した際に第１のホログラムから再生される再生光を第１の再生光とし、前記第１のホログラムの隣接に記録された第２のホログラムから再生される再生光を第２の再生光とし、  前記第１の再生光と前記第２の再生光の間の位相差が所定値となるように記録時の信号光または参照光の位相を制御することを特徴とする光情報記録再生装置。
【請求項１２】
請求項９に記載の光情報記録再生装置において、  前記光位相制御部は、  前記参照光を照射した際に第１のホログラムから再生される再生光を第１の再生光とし、前記第１のホログラムの隣接に記録された第２のホログラムから再生される再生光を第２の再生光とし、  前記第１の再生光と前記第２の再生光の間の位相差が略π／２となるように記録時の信号光または参照光の位相を制御することを特徴とする光情報記録再生装置。
【請求項１３】
請求項９に記載の光情報記録再生装置において、  前記光位相制御部は、  前記参照光を照射した際に第１のホログラムから再生される再生光を第１の再生光とし、前記第１のホログラムの隣接に記録された第２のホログラムから再生される再生光を第２の再生光とし、  前記第１の再生光と前記第２の再生光の間の位相差が略πとなるように記録時の信号光または参照光の位相を制御することを特徴とする光情報記録再生装置。
【請求項１４】
請求項９に記載の光情報記録再生装置において、  前記光位相制御部は、  前記光情報記録媒体に、第１のホログラムを記録する場合と、第２のホログラムを前記第1のホログラムの隣接に記録する場合において、前記第１のホログラムを記録した場合の前記参照光あるいは前記信号光と前記第２のホログラムを記録した場合の前記参照光または前記信号光の間の位相差が略π／２となるように、前記信号光または参照光の位相を制御することを特徴とする光情報記録再生装置。
【請求項１５】
請求項９に記載の光情報記録再生装置において、  前記光位相制御部は、  前記光情報記録媒体に、第１のホログラムを記録し、第２のホログラムを前記第1のホログラムの隣接に記録する場合において、前記第１のホログラムを記録した場合の前記参照光または前記信号光と前記第２のホログラムを記録した場合の前記参照光または前記信号光の間の位相差が略πとなるように、前記信号光または参照光の位相を制御することを特徴とする光情報記録再生装置。
【請求項１６】
請求項９に記載の光情報記録再生装置において、  前記光情報記録媒体に同多重条件で第１のホログラムと第２のホログラムを記録し、  前記光位相制御部は、  前記光情報記録媒体に、前記第１のホログラムを記録し、前記第２のホログラムを前記第1のホログラムの隣接に記録する場合において、前記第１のホログラムを記録した場合の前記参照光または前記信号光と前記第２のホログラムを記録した場合の前記参照光または前記信号光の間の位相差が略π／２となるように、前記信号光または参照光の位相を制御することを特徴とする光情報記録再生装置。
【請求項１７】
請求項９に記載の光情報記録再生装置において、前記光位相制御部は、信号光または参照光の光路中において光が略平行状態の位置に配置されることを特徴とする光情報記録再生装置。
【請求項１８】
光の位相を制御する光位相制御方法であって、  複屈折における屈折率が小さい軸を進相軸、前記進相軸と直交し屈折率が大きい軸を遅相軸とした場合において、  前記進相軸を少なくとも２つの方位に切り替え、入射した光の前記進相軸及び前記遅相軸の間に第１のリタデーションを与える第１のリタデーション付加ステップと、  前記進相軸を少なくとも２つの方位に切り替え、入射した光の前記進相軸及び前記遅相軸の間に所第２のリタデーションを与える第２のリタデーション付加ステップと、  前記第１のリタデーションを与えるステップの前記進相軸の方位と前記第２のリタデーションを与えるステップの前記進相軸の方位を制御する進相軸制御ステップと、  前記第１のリタデーション付加ステップの前記進相軸と前記第２のリタデーション付加ステップの前記進相軸を所望の方位にそれぞれ制御する状態を第１の制御状態、前記第１のリタデーション付加ステップの前記進相軸及び前記第２のリタデーション付加ステップの前記進相軸を前記第１の制御状態とは異なる方位に制御する状態を第２の制御状態とした場合、前記第１の制御状態または前記第２の制御状態のどちらかを選択する選択ステップと、  を有することを特徴とする光位相制御方法。
【請求項１９】
請求項１８に記載の光位相制御方法において、  前記選択ステップにおいて、前記第１の制御状態を選択する場合は前記第１のリタデーション付加ステップの前記進相軸の方位と前記第２のリタデーション付加ステップの前記進相軸の方位を略一致させるように制御し、前記第２の制御状態を選択する場合は前記第１のリタデーション付加ステップの前記進相軸の方位と前記第２のリタデーション付加ステップの前記進相軸の方位が略直交するように制御することを特徴とする光位相制御方法。
【請求項２０】
ホログラフィを利用して光情報記録媒体に信号光と参照光との干渉パターンをホログラムとして記録及び再生する光情報記録再生方法において、  レーザ光を出射する出射ステップと、  前記レーザ光を参照光と信号光に分離する分離ステップと、  記録時の前記信号光または参照光の位相を制御する光位相制御ステップと、  前記光情報記録媒体に前記参照光を照射することにより再生された信号光を検出する光検出ステップと、を有し、  前記光位相制御ステップは、    複屈折における屈折率が小さい軸を進相軸、前記進相軸と直交し屈折率が大きい軸を遅相軸とした場合において、    前記進相軸を少なくとも２つの方位に切り替え、入射した光の前記進相軸及び前記遅相軸の間に第１のリタデーションを与える第１のリタデーション付加ステップと、    前記進相軸を少なくとも２つの方位に切り替え、入射した光の前記進相軸及び前記遅相軸の間に所第２のリタデーションを与える第２のリタデーション付加ステップと、    前記第１のリタデーションを与えるステップの前記進相軸の方位と前記第２のリタデーションを与えるステップの前記進相軸の方位を制御する進相軸制御ステップと、    前記第１のリタデーション付加ステップの前記進相軸と前記第２のリタデーション付加ステップの前記進相軸を所望の方位にそれぞれ制御する状態を第１の制御状態、前記第１のリタデーション付加ステップの前記進相軸及び前記第２のリタデーション付加ステップの前記進相軸を前記第１の制御状態とは異なる方位に制御する状態を第２の制御状態とした場合、前記第１の制御状態または前記第２の制御状態のどちらかを選択する選択ステップと、を有し、  入射光の電場振動方向を変えずに、前記入射光の位相を第１の位相または第２の位相にして、出射することを特徴とする光情報記録再生方法。
【発明の詳細な説明】
【技術分野】
【０００１】  本発明は、出射光の位相を少なくとも２状態に制御することが可能で、該２状態の位相差を所望値とする光位相制御技術、及び該光位相制御技術を用いた光情報記録再生技術に関する。
【背景技術】
【０００２】  現在、青紫色半導体レーザを用いたＢｌｕ−ｒａｙ  Ｄｉｓｃ（ＴＭ）規格により、民生用においても１００ＧＢ程度の記録密度を持つ光ディスクの商品化が可能となっている。今後は、光ディスクにおいてもＴＢ級（テラバイト級）の大容量化が望まれている。光ディスクの高密度記録再生技術として、ホログラフィを利用して情報を記録するホログラム記録技術が注目を集めている。ホログラム記録では、角度多重やシフト多重等の各種多重技術を用いることで、光情報記録媒体の同一箇所に複数の信号を記録することが可能である。さらに、記録する光の位相を変え多値化した信号を記録再生することで、大容量化及び高速化を実現することが原理的に可能である。【０００３】  光の位相を変化させる技術としては、例えば特開２００９−３１３６７号公報（特許文献１)がある。本公報には、「ＬＣｏＳ型位相変調装置１は、駆動電圧の印加に応じて入力光に対し位相変調を行なう。ＬＵＴマップ１５は、各画素を、その位相変調特性に基づいて、複数のグループの内の１つと関連付ける。ＬＵＴ１１は、複数のグループに対して１対１に対応して設けられる。画素位置検出装置３７は、ＬＵＴマップ１５を用いて、各画素に対して、当該画素が関連付けられたグループに対応したＬＵＴ１１を特定する。ＬＵＴ処理装置３６は、各画素に対して入力された制御入力値Ａを、特定されたＬＵＴ１１を参照して、ＤＡ入力値Ｂに変換する。」と記載されている。【０００４】  また、液晶分子が自発分極を持つ為、kHz程度の高速な制御が可能な素子として注目される強誘電性液晶を用いた技術としては、例えば特開２０１２−７３３６８号公報（特許文献２)がある。本公報には、「本光走査装置は、走査投影装置１１に入射される前のレーザ光Ｌが透過する第１液晶素子７と、第２液晶素子９とを備え、第１液晶素子は第２液晶素子の配向変化速度より速い速度、好ましくは２倍以上速い速度で出射レーザ光を、（９０度）異なる２つの偏光方向に切換える強誘電性液晶（ＦＬＣ）等の液晶で、第２液晶素子は駆動電圧の印加により液晶分子が乱流を起こして時間的に液晶分子の配向がランダムに変化する動的散乱モード（ＤＳＭ）液晶とされる。第２液晶素子により多様なスペックルパターンを生成するとともに、第１液晶素子によってスペックルパターンを高速に変動させる。」と記載されている。
【先行技術文献】
【特許文献】
【０００５】
【特許文献１】特開２００９−３１３６７
【特許文献２】特開２０１２−７３３６８
【発明の概要】
【発明が解決しようとする課題】
【０００６】  ところで、ホログラフィに代表される光の干渉を利用するシステムでは、可干渉性を高める為に所望の偏光を維持する必要がある為、光の位相を用いた技術を適用する場合においては、偏光を維持しつつ位相のみを変化させる必要がある。さらに、一般にホログラフィックメモリや通信分野等の光の干渉を利用したシステムでは、システムの高速性が重要であり、位相を用いた技術を適用する場合には、システム動作速度を低下させないような位相制御が要求される。しかしながら、特許文献１に代表されるネマティック液晶等を用いた位相変調装置では、偏光を維持しつつ位相を変えることは可能だが、高速な位相制御が出来ない。また、特許文献２のような強誘電性液晶を用いた公知技術では高速な制御は実現可能だが、強誘電性液晶により偏光が変化する為、例えば偏光子を用いて所望の偏光成分だけを抜き取る等の光利用効率を低下させることをしない限りは、偏光を維持したままの位相制御は実現することができない。【０００７】  本発明は上記課題を鑑みなされたものであり、偏光を変えることなく光の位相のみを高速に変化させる光位相制御技術及び本技術を適用した光情報記録再生技術を提供することを目的とする。
【課題を解決するための手段】
【０００８】  上記課題は、例えば請求項の範囲に記載の発明により解決される。
【発明の効果】
【０００９】  本発明によれば、偏光を変えることなく光の位相のみを変化させることが可能となる。
【図面の簡単な説明】
【００１０】
【図１】位相制御素子内の強誘電性液晶の角度配置の実施例を表す概略図
【図２】光位相制御装置における出射光の位相状態の例を表す概略図
【図３】光位相制御装置の動作フローの実施例を表す概略図
【図４】光位相制御装置の実施例を表す概略図
【図５】光位相制御装置内の位相制御素子の実施例を表す概略図
【図６】光情報記録再生装置の実施例を表す概略図
【図７】光情報記録再生装置内のピックアップの実施例を表す概略図
【図８】光情報記録再生装置内のピックアップの実施例を表す概略図
【図９】（ａ）ページ間クロストークの例を示す模式図、（ｂ）ページ間位相差とノイズ量の関係の例を示すシミュレーション結果
【図１０】光情報記録再生装置における位相制御によるページ間クロストーク低減技術の実施例を表す概略図
【図１１】光情報記録再生装置の動作フローの実施例を表す図
【図１２】光情報記録再生装置における多値信号生成の実施例を表す図
【図１３】光情報記録再生装置における多値信号生成の動作フローの実施例を表す図
【発明を実施するための形態】
【００１１】  以下、本発明の実施例について図面を用いて説明する。
【実施例１】
【００１２】  本発明における第１の実施例について図１から図５を用いて説明する。本実施例は、２つの強誘電性液晶等の位相制御素子を平行に配置することで素子通過前後において偏光を維持しつつ光の位相を制御する技術に関する。【００１３】  図１に本発明における光位相制御装置内の位相制御素子の角度配置の実施例を表す概略図を示す。本発明では、強誘電性液晶等の少なくとも２方位に位相制御軸を切り替えることが可能な位相制御素子を少なくとも２つ用いて、入射光の偏光を維持しつつ位相を少なくとも２つの異なる状態に制御することを狙っている。本明細書では、少なくとも２つの異なる位相を第１の位相状態及び第２の位相状態と区別して説明する。  例として強誘電性液晶を用いた構成について説明する。強誘電性液晶では、印加する電圧に応じて液晶分子の配向を少なくとも２つの状態に変えることが可能である。強誘電性の液晶分子は自発分極を持つ為、電圧付加によりkHzオーダーで高速に液晶分子の配向をかえることが可能である。また液晶分子は軸により屈折率が異なる複屈折効果を有するため、印加電圧を制御することにより光の位相を進める軸方位を２つの状態に制御することが可能である。本明細書では、光の位相が最も進む軸を進相軸と呼び、光の位相を議論する場合はことわりが無い限り、進相軸と直交する軸すなわち遅相軸の位相を基準位相即ち位相０として考える。また、進相軸及び遅相軸の間で生じる位相差をリタデーションと呼ぶ。【００１４】  図１(a)において、入射光の電場振動方向をｘ方向、進行方向をz方向とした場合、強誘電性液晶１０１及び１０２は互いに並行にz軸上に配置する。このとき、光は強誘電性液晶１０１及び１０２の両方を透過する。なお、図示したようにx軸方向すなわち光の電場振動方向からの方位角をΦとして定義する。  例えば第１の位相 状態とする場合は、図１(b)に示すように強誘電性液晶１０１の進相軸を図中の進相軸の方位即ち軸方位Φ＝０度の方位に向くように強誘電性液晶１０１に印加する電圧を制御し、強誘電性液晶２の進相軸を図中の進相軸の方位即ち軸方位Φ＝０度の方位に向くように強誘電性液晶１０２に印加する電圧を制御する。また、例えば、第２の位相状態とする場合は、図１(c)に示すように強誘電性液晶１０１の進相軸を図中の進相軸の方位即ち軸方位Φ＝４５度の方位に向くように強誘電性液晶１０１に印加する電圧を制御し、強誘電性液晶１０２の進相軸を図中の進相軸の方位即ち軸方位Φ＝−４５度の方位に向くように強誘電性液晶１０２に印加する電圧を制御する。詳しくは、図２を用いて説明するが、強誘電性液晶１０１及び１０２の進相軸の方位を上記の面内角度配置とし液晶を所望の厚みとすることで、入射光の振動方向即ち偏光を変えることなく、第１の位相状態と第２の位相状態の位相差を所望にすることが可能である。【００１５】  図２に光位相制御装置内の位相制御素子において電場の振動状態を表す概略図を示し、位相制御素子として強誘電性液晶を用いた場合において、偏光を維持しつつ所望の位相差を実現可能である旨を説明する。なお、入射光の電場振動方向はｘ方向とする。また、本図では、例として２つの強誘電性液晶における進相軸と遅相軸の位相差Δθがπ／２の場合を示して���るが、利用用途に応じて任意の任意差の強誘電性液晶を用いて構わない。まず第１の位相状態とする場合を考える。このとき、例えば強誘電性液晶１０１の進相軸と強誘電性液晶１０２の進相軸を方位角Φ＝0すなわちｘ軸方向とする。強誘電性液晶１０１を透過した光は、図中の進相軸の成分の位相がΔθ進むことになるが、入射光の光の成分は全てｘ方向である為、光の全成分の位相がΔθ進む。同様の理由で、強誘電性液晶１０２を透過した後の光もさらに位相がΔθ進む。ゆえに、強誘電性液晶１０１及び強誘電性液晶１０２の両方を透過した後における光は、位相が２Δθ進み、偏光は保持された状態となる。これは、２つの進相軸が一致した液晶を光が透過することになるため、１つの液晶で付加される位相Δθの２倍の位相２Δθが付加されたと理解することが出来る。【００１６】  次に、第２の位相状態とする場合を考える。このとき、例えば、強誘電性液晶１０１の進相軸を方位角Φ＝45度に強誘電性液晶１０２の進相軸を方位角Φ＝−45度に、すなわち図示したように両強誘電性液晶の進相軸が直交した状態を考える。まず、強誘電性液晶１０１に入射する光の内、強誘電性液晶１０１の進相軸への射影成分の位相がΔθ進む。このとき、軸による位相差が生じる為、強誘電性液晶１０１の出射光は偏光が例えば円偏光に変化した状態となり、最終的には偏光を変化させないことが目的であるが、例えば中間状態として偏光が変化した状態を経由する。続いて、強誘電性液晶１０２を透過する場合は、２枚の液晶の進相軸が直交しているため、強誘電性液晶１０１で位相を進めなかった成分の位相がΔθ進む。すなわち、２枚の強誘電性液晶を透過した光は、２回に分けて直交した成分の位相がそれぞれΔθ進められたことになるため、入射光の偏光は保持され位相がΔθ進んだ状態となる。これは、２つの進相軸が直交した液晶を光が透過することになるため、方位に依らず一様な位相Δθが付加されたと理解することが出来る。【００１７】  すなわち、第１の位相状態と第２の位相状態では、出射光の位相差が２Δθ―Δθ＝Δθ生じることになる。ゆえに、意図的に付加したい位相差がΔθである場合には、強誘電性液晶１０１及び強誘電性液晶１０２の液晶厚みを同じにして、進相軸と遅相軸の位相差がΔθになるように設計すれば良い。結果として、偏光を保持しつつ、強誘電性液晶の特性ゆえ高速に所望の位相差を実現することが可能となる。実用的には、進相軸と遅相軸の位相差がπやπ／２で設計することが多いことが予想されるが、これらの位相差に限定されること無く、使用用途に応じて、任意の位相差を実現することが出来ることが本発明の利点の１つである。【００１８】  なお、本図における２つの液晶の配置は一例であり、第１の位相状態に制御する場合は両液晶の進相軸の方位が一致し、第２の位相状態に制御する場合は両液晶の進相軸が直交していれば様々な配置が考えられる。また、第１の位相状態において両液晶の進相軸の方位が一致し、第２の位相状態において両液晶の進相軸の方位が直交する場合の例を示したが、第１の位相状態において両液晶の進相軸の方位が直交し、第２の位相状態において両液晶の進相軸の方位が一致していても構わない。また、前述の強誘電性液晶を用いた構成は１例であり、例えば少なくとも２つの軸方位に進相軸を制御可能なリタデーション付加素子を少なくとも２つ用いて、前記リタデーション付加素子の進相軸を同期制御することで、入射光の電場振動方向を変化させることなく、少なくとも２つの位相状態にして出射することを実現すれば、２つのリタデーション付加部における同期制御時の進相軸の角度配置は必ずしも図１記載の角度配置である必要はない。【００１９】  図３に光位相制御装置の動作フローの実施例を表す概略図を示す。まずS３０１で光位相制御装置の制御信号を受信する。S３０２で、前記制御信号によって第１の位相状態と第２の位相状態の内のどちらの位相状態に制御するかの判断を行う。第１と第２の位相状態において相対的に位相を進める場合は、S３０３により強誘電性液晶１０１と強誘電性液晶１０２の進相軸が一致するように付加電圧を制御する。相対的に位相を進める側への制御でない場合、すなわち相対的に位相を遅らす側への制御の場合は、S３０４により強誘電性液晶１０１と強誘電性液晶１０２の進相軸が直交するように付加電圧を制御する。【００２０】  図４に光位相制御装置の実施例を表す概略図を示す。光位相制御装置２００は、例えば位相制御素子１００、と位相差制御回路９２で構成される。さらに、前記位相差制御回路９２は強誘電性液晶制御回路２０２、強誘電性液晶制御回路２０３、コントローラ２０１からなる。なお、後に図５を用いて説明するが位相制御素子１００は、例えば２つの強誘電性液晶１０１及び１０２で構成される。  コントローラ２０１は、制御部８９からの制御信号を入力し、該制御信号に応じて強誘電性液晶制御回路２０２及び強誘電性液晶制御回路２０３に出力する信号を変える。例えば、前記透過する光の位相のうちで、相対的に位相が進んだ状態を第１の位相状態と定義し、相対的に位相が遅れた状態を第２の位相状態と定義した場合、制御部８９からの制御信号は第１の位相状態とするか、第２の位相状態とするかを区別するものであり、該制御信号に応じてコントローラ２０１は、強誘電性液晶制御回路２０２及び強誘電性液晶制御回路２０３へ出力する信号を変える。【００２１】  強誘電性液晶制御回路２０２はコントローラ２０１からの信号に応じて、位相制御素子１００内の強誘電性液晶１０１に印加する電圧を制御し、結果として、強誘電性液晶１０１の進相軸の方位を所望の方向とする。同様に、強誘電性液晶制御回路２０３はコントローラ２０１からの信号に応じて、位相制御素子１００内の強誘電性液晶１０２に印加する電圧を制御し、結果として、強誘電性液晶１０２の進相軸の方位を所望の方向とする。強誘電性液晶１０１と強誘電性液晶１０２の進相軸の方位角の関係は、前述の通り、第１の位相状態とする場合は両液晶の進相軸の方位を一致させ、第２の位相状態とする場合は両液晶の進相軸の方位を直交させる。【００２２】  図５に光位相制御装置内の位相制御素子の実施例を表す概略図を示す。位相制御素子１００は、例えば少なくとも２つの強誘電性液晶で構成される。位相制御素子１００を透過する光の進行方向は、図中のｚ軸方向であり、２つの強誘電性液晶１０１、１０２の両方を透過する。本明細書では、例えば最初に透過する強誘電性液晶を強���電性液晶１０１とし、次に透過する強誘電性液晶を強誘電性液晶１０２とする。本発明では第１の位相状態と第２の位相状態の位相差が所望値となるように液晶厚みを変える。【００２３】  例えば、第１の位相状態と第２の位相状態の位相差としてπ/2を実現したい場合には、両液晶の進相軸と遅相軸の位相差がπ／２となるような厚みとすれば良く、第１の位相状態と第２の位相状態の位相差としてπを実現したい場合には、両液晶の進相軸と遅相軸の位相差がπとなるような厚みとすれば良い。一般化すると、第１の位相状態と第２の位相状態の位相差としてΔθを実現したい場合には、両液晶の進相軸と遅相軸の位相差がΔθとなるような厚みとすれば良い。強誘電性液晶１０１及び強誘電性液晶１０２は、例えば隙間なく強誘電性液晶１０１及び強誘電性液晶１０２同士を保持した構成とした上で光位相制御装置に組み込んでも良いし、意図的に隙間を設けても構わないし、また２つの強誘電性液晶の間に他の部品を配置しても構わない。隙間がない構成とした場合は、両液晶が例えば透明電極を介して接着された状態であり、例えば経時変化で２つの強誘電性液晶の間で位置ずれや角度ずれが発生することによる意図しない位相や偏光の変化の影響を低減することが可能である。また、隙間を意図的に設けた場合には、隙間に検出器を設置することが可能となり、強誘電性液晶１０１を透過した後の光の位相や偏光を検出器で確認することが可能であるため、光位相制御装置自体を組立てる際或いは光位相制御装置を他の装置に組み込む際の調整が設計通りかを各種検出器を用いて確認することが可能となる。また経時的に強誘電性液晶１０１や強誘電性液晶１０２あるいは入射光が変化した場合において強誘電性液晶１０１を通過した時点での光を確認することが可能なため、経時的に変化した部分がどこであるかを確認するための判断情報を得ることが可能となる。またこの場合、検出器を固定する為のホルダ等を設置することも考慮して隙間を設けてもよい。これは、検出器を光情報記録再生装置或いは光位相制御装置に常に備え付けるのでは無く、例えば、経時的に装置が変化した場合のみに、光情報記録再生装置或いは光位相制御装置に、検出器を組込み、光の状態を確認することを可能にするためである。【００２４】  本実施例の方法では、ネマティック液晶を用いた位相制御装置や従来の強誘電性液晶を用いたスイッチング装置等では実現が難しい、偏光を維持したまま位相をkHzオーダーで高速に制御することが可能であるという利点がある。また、液晶厚みを変えることで、第１の位相状態と第２の位相状態の位相差を任意の位相差に実現可能である。
【実施例２】
【００２５】  本発明における第２の実施例について図６から図１１を用いて説明する。本実施例は、実施例１に記載の光位相制御装置を光情報記録再生装置に適用し、デジタル情報再生時におけるクロストークを低減する技術に関する。【００２６】  図６はホログラフィを利用してデジタル情報を記録及び／または再生する光情報記録媒体の記録再生装置を示すブロック図である。  光情報記録再生装置１０は、入出力制御回路９０を介して外部制御装置９１と接続されている。記録する場合には、光情報記録再生装置１０は外部制御装置９１から記録する情報信号を入出力制御回路９０により受信する。再生する場合には、光情報記録再生装置１０は再生した情報信号を入出力制御回路９０により外部制御装置９１に送信する。  光情報記録再生装置１０は、ピックアップ１１、再生用参照光光学系１２、キュア光学系１３、ディスク回転角度検出用光学系１４、及び回転モータ５０を備えており、光情報記録媒体１は回転モータ５０によって回転可能な構成となっている。【００２７】  ピックアップ１１は、参照光と信号光を光情報記録媒体１に出射してホログラフィを利用してデジタル情報を記録媒体に記録する役割を果たす。この際、記録する信号は制御部８９によって信号生成回路８６を介してピックアップ１１内の空間光変調器に送り込まれ、信号光は空間光変調器によって変調される。  光情報記録媒体１に記録した情報を再生する場合は、ピックアップ１１から出射された参照光を記録時とは逆の向きに光情報記録媒体に入射させる光波を再生用参照光光学系１２にて生成する。再生用参照光によって再生される再生光をピックアップ１１内の光検出器によって検出し、信号処理回路８５によって信号を再生する。  光情報記録媒体１に照射する参照光と信号光の照射時間は、ピックアップ１１内のシャッタの開閉時間を制御部８９によってシャッタ制御回路８７を介して制御することで調整できる。【００２８】  キュア光学系１３は、光情報記録媒体１のプリキュアおよびポストキュアに用いる光ビームを生成する役割を果たす。プリキュアとは、光情報記録媒体１内の所望の位置に情報を記録する際、所望位置に参照光と信号光を照射する前に予め所定の光ビームを照射する前工程である。ポストキュアとは、光情報記録媒体１内の所望の位置に情報を記録した後、該所望の位置に追記不可能とするために所定の光ビームを照射する後工程である。  ディスク回転角度検出用光学系１４は、光情報記録媒体１の回転角度を検出するために用いられる。光情報記録媒体１を所定の回転角度に調整する場合は、ディスク回転角度検出用光学系１４によって回転角度に応じた信号を検出し、検出された信号を用いて制御部８９によってディスク回転モータ制御回路８８を介して光情報記録媒体１の回転角度を制御する事が出来る。【００２９】  光源駆動回路８２からは所定の光源駆動電流がピックアップ１１、キュア光学系１３、ディスク回転角度検出用光学系１４内の光源に供給され、各々の光源からは所定の光量で光ビームを発光することができる。  また、ピックアップ１１及びディスクキュア光学系１３は、光情報記録媒体１の半径方向に位置をスライドできる機構が設けられており、アクセス制御回路８��を介して位置制御がおこなわれる。  ところで、ホログラフィの角度多重の原理を利用した記録技術は、参照光角度のずれに対する許容誤差が極めて小さくなる傾向がある。【００３０】  従って、ピックアップ１１内に、参照光角度のずれ量を検出する機構を設けて、サーボ信号生成回路８３にてサーボ制御用の信号を生成し、サーボ制御回路８４を介して該ずれ量を補正するためのサーボ機構を光情報記録再生装置１０内に備えることが必要となる。  また、ピックアップ１１、キュア光学系１３、ディスク回転角度検出用光学系１４は、いくつかの光学系構成または全ての光学系構成をひとつに纏めて簡素化しても構わない。  位相差制御回路９２は、再生時の隣接或いは近傍の信号間の位相差が所望値となるように、記録時に信号光と参照光の相対位相差を制御する為の回路であり、コントローラからの指令を受け、ピックアップ１１内の光位相制御装置を制御する。光位相制御装置は、光の位相を変化させる素子であり、例えば実施例１にて説明した光位相制御装置を用いる。なお、光位相制御装置は前述の通り再生時の信号間の位相差を所望値とすることを狙ったものであり、後述する位相マスクとは目的が異なる素子である。【００３１】  図７は、光情報記録再生装置１０におけるピックアップ１１の基本的な光学系構成の一例における記録原理を示したものである。光源３０１を出射した光ビームはコリメートレンズ３０２を透過し、シャッタ３０３に入射する。シャッタ３０３が開いている時は、光ビームはシャッタ３０３を通過した後、例えば２分の１波長板などで構成される光学素子３０４によってｐ偏光とｓ偏光の光量比が所望の比になるようになど偏光方向が制御された後、ＰＢＳ（Ｐｏｌａｒｉｚａｔｉｏｎ  Ｂｅａｍ  Ｓｐｌｉｔｔｅｒ）プリズム３０５に入射する。【００３２】  ＰＢＳプリズム３０５を透過した光ビームは、信号光３０６として働き、ビームエキスパンダ３０８によって光ビーム径が拡大された後、位相マスク３０９、リレーレンズ３１０、ＰＢＳプリズム３１１を透過して空間光変調器３１２に入射する。位相マスクは信号光の波面を意図的に乱すことで、対物レンズでの信号光集光時に、光量集中を緩和することで、光情報記録媒体中のホログラム前駆体を局所的に消費することを低減することができる素子である。前述の通り、位相マスクと光位相制御装置は求められる機能が異なるが、一つの素子で位相マスクと光位相制御装置の効果を同時に実現しても当然構わない。【００３３】  空間光変調器３１２によって情報が付加された信号光は、ＰＢＳプリズム３１１を反射し、リレーレンズ３１３ならびに空間フィルタ３１４を伝播する。その後、信号光は光位相制御装置１００により、再生時の隣接信号間の位相差が所望値となるように、記録時の位相が制御され、対物レンズ３１５によって光情報記録媒体１に集光する。光位相制御装置１００は、空間光変調器３１２からリレーレンズ３１３で４Ｆ結像した位置にすると、光位相制御装置で付加した後の位相分布と等価で反転した位相分布が再生時にカメラ上で結像するため、伝播による位相分布乱れの影響を低減出来る。また、収束光や発散光は光の電場振動方向が複数軸存在し、進相軸と光の電場振動方向を統一��ることが難しい為、光位相制御装置は望ましくは平行光路中に配置することが望ましい。但し、光位相制御装置１００を配置する位置は図１の例に限定されるものでは無く、所望の位相差を付加出来れば、信号光の光路中で任意の場所に配置しても構わないし、参照光の光路中の任意の場所に配置しても構わない。【００３４】  一方、ＰＢＳプリズム３０５を反射した光ビームは参照光３０７として働き、偏光方向変換素子３１６によって記録時または再生時に応じて所定の偏光方向に設定された後、ミラー３１７ならびにミラー３１８を経由してガルバノミラー３１９に入射する。ガルバノミラー３１９はアクチュエータ３２０によって角度を調整可能のため、レンズ３２１とレンズ３２２を通過した後に光情報記録媒体１に入射する参照光の入射角度を、所望の角度に設定することができる。なお、参照光の入射角度を設定するために、ガルバノミラーに代えて、参照光の波面を変換する素子を用いても構わない。本明細書では、参照光角度は、例えば図示するように光情報記録媒体に垂直な方向を０度として、反時計回りを＋方向、時計回りを−方向と定義する。【００３５】  このように信号光と参照光とを光情報記録媒体１において、互いに重ね合うように入射させることで、記録媒体内には干渉縞パターンが形成され、このパターンを記録媒体に書き込むことで情報を記録する。また、ガルバノミラー３１９によって光情報記録媒体１に入射する参照光の入射角度を変化させることができるため、角度多重による記録が可能である。  以降、同じ領域に参照光角度を変えて記録されたホログラムにおいて、１つ１つの参照光角度に対応したホログラムをページと呼び、同領域に角度多重されたページの集合をブックと呼ぶことにする。【００３６】  図８は、光情報記録再生装置１０におけるピックアップ１１の基本的な光学系構成の一例における再生原理を示したものである。記録した情報を再生する場合は、前述したように参照光を光情報記録媒体１に入射し、光情報記録媒体１を透過した光ビームを、アクチュエータ３２３によって角度調整可能なガルバノミラー３２４にて反射させることで、その再生用参照光を生成する。  この再生用参照光によって再生された再生光は、対物レンズ３１５、光位相制御装置１００、リレーレンズ３１３ならびに空間フィルタ３１４を伝播する。その後、再生光はＰＢＳプリズム３１１を透過して光検出器３２５に入射し、記録した信号を再生することができる。再生時においては、意図的に再生光に位相を付与する必要が無いため、例えば光位相制御装置１００は再生中に位相が変化しないようにしておく。光検出器３２５としては例えばＣＭＯＳイメージセンサーやＣＣＤイメージセンサーなどの撮像素子を用いることができるが、ページデータを再生可能であれば、どのような素子であっても構わない。【００３７】  図９（ａ）にページ間クロストークの例を示す模式図を示す。横軸は参照光角度を、縦軸は再生光強度を表す。例えばnページ目のデータを再生する為に最適な参照光角度θnで再生した場合、隣接ページであるn+1ページ目のデータも再生される。図示したnページ、n+1ページの2つのページデータが再生される例においては、全体の再生光強度は、|En|2+|En+1|2+2|En||En+1|cosΨとなる。ここで、Enはnページ目の再生光の振幅、En+1はn+1ページ目の再生光の振幅、Ψはnページ目とn+1ページ目の再生光の位相差である。ここで、nページ目のデータを再生する場合を想定した場合、第１項の|En|2が所望の再生信号であり、第２項の|En+1|2と、第３項の2|En||En+1|cosΨは、隣接ページからの不要なクロストーク成分である。本例においては、参照光角度θnで再生している為、|En|>>|En+1|の関係があり、第２項は相対的に第1項に比べて非常に小さいが、第３項は|En|の因子が含まれていることもあり、第２項に比べて比較的大きなクロストークとなり得る。ここで、Ψ=±π/2のとき、cos(±π/2)=0となる為、第３項がゼロとなり、クロストーク成分の内影響が大きいと想定されるものが除去され信号品質が向上する。一般に、記録時の信号光或いは参照光の位相を変えると干渉縞における明部に形成されるグレーティングの位置がシフトし、光情報記録媒体に位相情報を記録することが出来る。再生時は記録した位相情報に基づいた回折光が再生されるため、前述の光位相制御装置により位相を制御し記録することで、隣接する再生光間の位相差Ψを所望値とすることができる。【００３８】  図９（ｂ）に記録時に付加するページ間位相差とノイズ量の関係の例を示すシミュレーション結果を示す。なお、本シミュレーションは、波長４０５ｎｍ、約６０ｍｄｅｇの角度間隔で３多重の記録をした際に、中央ページを再生したときの例を示している。横軸は記録時のページ間位相差Ψを縦軸は再生信号のノイズを示す。本グラフからページ間位相差Ψがπ／２或いは−π／２の場合にノイズが最も低減されていることが分かる。ここで、ノイズはホログラフィックメモリにおいて一般に再生信号の品質を評価する際に用いられるＳＮＲの逆数と等価であり、下式で定義される。【００３９】
【数１】
2016208047.tif 000003
【００４０】ここで、σ1はデータ’1’及びデータ’0’の2値信号を記録再生した場合におけるデータ’1’の再生信号群の輝度の標準偏差、σ0はデータ’0’の再生信号群の輝度の標準偏差、μ1はデータ’1’の再生信号群の輝度の平均値、μ0はデータ’0’の再生信号群の輝度の平均値である。【００４１】  なお、本図から明らかであるが、位相差±π／２が最もノイズ低減効果が高いが、位相差０以外でも十分にノイズ低減効果を有する為、本発明は位相差±π／２に限定されるものではなく、光位相制御装置により信号間の位相差を０以外に制御しても当然構わない。特に位相差πの状態では、付加する位相がπからばらつきを持った場合においても、ノイズ低減効果を維持することが可能であることが本図から示唆され、付加位相ばらつきに対する耐性を強くすること可能であるという利点がる。【００４２】  図１０に光情報記録再生装置における位相制御によるページ間クロストーク低減技術の実施例を表す概略図を示す。信号光の記録時においては、ページ間の位相差がπ/2或いはπ等の所望値となるように、光位相制御装置を制御する。例えば、信号光の光路中に光位相制御装置を配置し、奇数ページを記録する際の位相を基準とした場合、偶数ページは位相がπ／２或いはπ差がでるように光位相制御装置をページ記録と同期させて制御する。本同期制御により、図９に示したようにページ間の位相を制御しない場合に比べてノイズを低減することが可能である。なお、本図に示すように、記録時においてページ間で位相差π／２やπを与えて記録しても良いし、再生時において光情報記録媒体の膨張収縮等の影響や各種記録条件により発生し得る媒体歪みの影響により発生する意図しない再生時の位相ずれを鑑みて、再生時において発生する位相と記録時に付加する位相の合計が、ページ間でπ／２、π、或いは所望値となるようにページ間で位相差を付加しても構わない。本制御は、特に隣接する２つのページとの再生時の位相差が非対称である、すなわち同一でない場合に特に有効である。【００４３】  図１１に光情報記録再生装置の動作フローの実施例を表す図を示す。まず、Ｓ１１０１において光情報記録媒体を記録位置に位置付ける。Ｓ１１０２において、記録するページに応じて付加する位相を決定する。例えば、図１０で示したように偶数ページか奇数ページかで付加する位相を切り替える。Ｓ１１０３において光位相制御装置により、Ｓ１１０２で決定した位相を信号光或いは参照光に位相を付加する。Ｓ１１０４において光情報記録媒体にページを記録する。Ｓ１１０５において、記録したページが記録すべきページの最終かの判断を行い、最終ページの場合は処理を終了し、最終ページでは無い場合はＳ１１０２の処理に戻る。【００４４】  本実施例の方法では、ホログラム記録で想定した記録時間内に意図した位相を付加することが可能になるため、システムの速度を低減することなくホログラフィックメモリのページ間クロストークを低減することが可能という利点がある。
【実施例３】
【００４５】  本発明における第３の実施例について図１２、１３を用いて説明する。【００４６】  従来のホログラフィックメモリでは、２値の信号で変調された信号光を記録再生するが、多値の信号で変調された信号光を記録再生することで、容量及び転送速度を高めることが出来る。本実施例は、２値位相を変調可能な空間光変調器と実施例１で示した光位相制御装置を組み合わせることで位相を用いた多値信号を生成する技術に関する。【００４７】  図１２に光情報記録再生装置における多値信号生成の実施例を表す図を示す。多値信号を生成する方法として、光情報記録媒体に同多重条件で少なくとも２つの信号を記録し、再生時に２つの信号を同時に再生させることで、合成信号を得る方法である。ここで、同多重条件とは、角度多重型ホログラムの場合は、参照光角度を同一とした状態であり、シフト多重型ホログラムの場合は、光情報記録媒体の位置を同一とした場合である。このとき、光情報記録媒体に記録する２つの信号を、信号１及び信号２と定義した場合において、信号１で２値の信号、信号２で２値の信号を記録しておくことで、合成信号としては４値の信号を生成可能となる。記録信号数を増やせば４値以上の信号を生成することが可能である。【００４８】  例えば、信号１として位相０かπの２値の信号を記録し、信号２として位相π／２か−π／２の２値の信号を記録し、信号１と信号２の合成信号を形成する場合を考える。このとき、信号１及び信号２の合成信号は図示したように、信号１と信号２のベクトル和と考えることが可能である。すなわち、信号１と信号２の振幅が同一の場合は、合成信号の位相は信号１と信号２の位相の平均値となる。例えば、表に示すように、信号１が位相０で、信号２が位相π／２の場合は、合成信号は（０＋π／２）／２＝π／４である。同様に、計算すると、合成信号はπ／４、−π／４、３π／４、−３π／４という互いに異なる４値の信号を形成することが可能である。【００４９】  図１３に光情報記録再生装置における多値信号生成の動作フローの実施例を表す図を示す。Ｓ１３０１において、記録位置にディスクを位置付ける。Ｓ１３０２において、参照光角度をページ記録するための角度に制御する。Ｓ１３０３において、例えば位相０かπで構成される第１のページを記録する。Ｓ１３０４において信号光或いは参照光の位相を相対的にπ／２変え、位相π／２か−π／２で構成される第２のページを記録する。前記Ｓ１３０３とＳ１３０４の記録により、第１のページと第２のページが同一の参照光角度で記録されることになり、再生時には第１のページと第２のページの合成されたページが再生される。Ｓ１３０５において最終ページかの判断を行い、最終ページの場合は処理を終了し、最終ページでは無い場合は、Ｓ１３０２の処理に戻る。【００５０】  装置構成は実施例２と同様であるため説明を割愛する。但し、例えば図７における空間光変調器３１２は２値の位相で変調可能なものとする。また、光検出器３２５は例えばシャックハルトマンタイプの波面センサ等の光の位相を検出可能なものとする。また、ＰＢＳプリズム３１１を無偏光型のビームスプリッタを用いても構わない。【００５１】  例えば、図７に示した光学系において、空間光変調器３１２では０とπの２値の位相を表示可能であるとすると、最初に記録する第１のページでは画素毎に０かπの信号が考えられる。すなわち、第１のページは前述の信号１の集合体と考えることができる。続いて記録する第２のページは、例えば位相制御素子１００により第１のページに対して位相をπ／２差を付けることにより、画素毎にπ／２か−π／２の信号が考えられる。すなわち、第２のページは前述の信号２の集合体と考えることができる。このとき、第１のページと第２のページを合成したページはベクトル合成された合成信号の集合体と考えられ、結果として画素毎にπ／４、−π／４、３π／４、−３π／４の４値信号となる。  本実施例の方法では、２値の位相表示に対応した空間光変調器を光位相制御装置と組合せることで、２値以上の信号を記録再生することが可能であるという利点がある。【００５２】  なお、本発明は上記の実施例に限定されるものではなく、様々な変形例が含まれる。例えば、上記の実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。【００５３】  また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。  また、制御線や情報線は説明上必要と考えられるものを示しており、製品上必ずしも全ての制御線や情報線を示しているとは限らない。実際には殆ど全ての構成が相互に接続されていると考えてもよい。【００５４】  また、本明細書中では隣接する再生光間でのクロストークを低減する例で説明したが、本発明は隣接ページに限定するもので無く、隣接していない近傍のページ間でのクロストークを低減する目的に使用しても構わないし、隣接や近傍のブック間のクロストークを低減する目的に使用しても構わない。  また、本明細書中では角度多重型ホログラムでの例を示したが、シフト多重型等の他のホログラム多重方式に使用しても構わない。  また、信号光或いは参照光のどちらかの光路の位相を変化させる例を示したが、信号光及び参照光の両方の位相を変えて実現しても構わない。【００５５】  また、信号光の全画素において近傍の信号間での位相差を略π／２にするので無く、信号光の一部の画素で用いてもクロストークの低減効果はある為、信号光の一部の画素のみで位相差を略π／２にしても構わないし、図９からも明らかなように位相差を０から変化させることでノイズの低減効果はあるため、略π／２では無く、位相差を���以外に制御しても構わない。  また、本発明は強誘電性液晶以外の他の複屈折性の光学素子やデバイスに適用可能であるため、すくなくとも２つの素子の進相軸を直交させて配置させる構成を強誘電性液晶以外の光学素子等に適用して、偏光を維持したままの位相制御を実現しても構わない。  また、本発明では例としてホログラフィックメモリに光位相制御装置を適用した構成を説明したが、偏光を維持したまま位相を高速に制御する用途であれば、通信等のホログラフィックメモリ以外の分野で利用しても構わない。
【符号の説明】
【００５６】１００・・・位相制御素子、１０１・・・強誘電性液晶、１０２・・・強誘電性液晶、２００・・・光位相制御装置、２０１・・・コントローラ、２０２・・・強誘電性液晶制御回路、２０３・・・強誘電性液晶制御回路、１・・・光情報記録媒体、１０・・・光情報記録再生装置、１１・・・ピックアップ、１２・・・再生用参照光光学系、１３・・・ディスクＣｕｒｅ光学系、１４・・・ディスク回転角度検出用光学系、８１・・・アクセス制御回路、８２・・・光源駆動回路、８３・・・サーボ信号生成回路、８４・・・サーボ制御回路、８５・・・信号処理回路、８６・・・信号生成回路、８７・・・シャッタ制御回路、８８・・・ディスク回転モータ制御回路、８９・・・制御部、９０・・・入出力制御回路、９１・・・外部制御装置、９２・・・位相差制御装置、３０１・・・光源、３０２・・・コリメートレンズ、３０３・・・シャッタ、３０４・・・１／２波長板、３０５・・・ＰＢＳプリズム、３０６・・・信号光、３０７・・・参照光、３０８・・・ビームエキスパンダ、３０９・・・フェーズ（位相）マスク、３１０・・・リレーレンズ、３１１・・・ＰＢＳプリズム、３１２・・・空間光変調器、３１３・・・リレーレンズ、３１４・・・空間フィルタ、３１５・・・対物レンズ、３１６・・・偏光方向変換素子、３１７・・・ミラー、３１８・・・ミラー、３１９・・・ミラー、３２０・・・アクチュエータ、３２１・・・レンズ、３２２・・・レンズ、３２３・・・アクチュエータ、３２４・・・ミラー、３２５・・・光検出器
【図１】
2016208047.tif 000004
【図２】
2016208047.tif 000005
【図３】
2016208047.tif 000006
【図４】
2016208047.tif 000007
【図５】
2016208047.tif 000008
【図６】
2016208047.tif 000009
【図７】
2016208047.tif 000010
【図８】
2016208047.tif 000011
【図９】
2016208047.tif 000012
【図１０】
2016208047.tif 000013
【図１１】
2016208047.tif 000014
【図１２】
2016208047.tif 000015
【図１３】
2016208047.tif 000016
【国際調査報告】
2016208047.tif 000017
2016208047.tif 000018
2016208047.tif 000019
2016208047.tif 000020